(57)【特許請求の範囲】
【請求項１】
冷媒通路内を流れる冷媒と前記冷媒通路の外部を流れる被冷却流体とを熱交換させる冷媒蒸発部と、
前記冷媒蒸発部の冷媒通路の入口側に流入する冷媒と、前記冷媒蒸発部の冷媒通路の出口側から流出する冷媒とを熱交換させる冷媒−冷媒熱交換部とを有し、
前記冷媒蒸発部及び前記冷媒−冷媒熱交換部の冷媒通路は金属薄板の積層構造により形成されており、
前記冷媒−冷媒熱交換部と前記冷媒蒸発部との間に、前記冷媒−冷媒熱交換部で熱交換した後の入口側冷媒が流れる通路を絞る絞り通路を形成する金属薄板が介在されており、
この絞り通路形成用の金属薄板には補強板が接触して配置されており、
前記冷媒−冷媒熱交換部、前記冷媒蒸発部、前記絞り通路形成用の金属薄板、および前記補強板がろう付けにより一体構造に接合される冷媒蒸発器であって、
前記補強板は、前記絞り通路形成用の金属薄板の表裏両面にそれぞれ接触するように配置され、この２枚の補強板で前記絞り通路形成用の金属薄板が挟持され、
前記絞り通路形成用の金属薄板は、前記冷媒蒸発部側の補強板に向けて突出した凹状通路部と、前記冷媒−冷媒熱交換部側の補強板に向けて突出した補強用リブとを有し、
前記凹状通路部と前記冷媒−冷媒熱交換部側の補強板との間に前記絞り通路が形成され、
前記補強用リブの先端は前記冷媒−冷媒熱交換部側の補強板に当接し、
前記絞り通路形成用の金属薄板の凹状通路部の先端および前記補強用リブの根元部に位置する平面部が前記冷媒蒸発部側の補強板に当接し、
さらに前記冷媒蒸発部側の補強板は、前記絞り通路形成用の金属薄板に形成された前記補強用リブの内側空間の空気抜き用の穴部を有していることを特徴とする冷媒蒸発器。
【請求項２】
前記補強板の板厚が前記絞り通路形成用の金属薄板の板厚より大きいことを特徴とする請求項１に記載の冷媒蒸発器。
【請求項３】
前記補強板の板厚が前記絞り通路形成用の金属薄板の板厚の２倍以上に設定されていることを特徴とする請求項１または２に記載の冷媒蒸発器。
【発明の詳細な説明】
【０００１】
【産業上の利用分野】
本発明は冷却性能向上のための冷媒−冷媒熱交換部を有する冷媒蒸発器に関するもので、例えば自動車用空調装置に用いて好適なものである。
【０００２】
【従来の技術】
本出願人は、特開平５−１９６３２１号公報、特開平６−１８５８３１号公報等において、冷却性能向上のための冷媒−冷媒熱交換部（副熱交換部）を有する積層型の冷媒蒸発器を提案している。
上記公報記載のものを、図６に示す自動車用空調装置の冷凍サイクルに基づいて説明すると、圧縮機１は電磁クラッチ２を介して自動車用エンジン（図示せず、駆動源）により駆動され、この圧縮機１から吐出された高温、高圧のガス冷媒は凝縮器３において冷却ファン（図示せず）の送風空気と熱交換して冷却され、凝縮する。
【０００３】
上記凝縮器３で凝縮した液冷媒は受液器４に溜められ、液冷媒のみがサイクル下流側へ導出され、冷媒の減圧手段を構成する温度作動式膨張弁５において減圧され、気液２相冷媒となる。５ａは膨張弁５の感温筒である。この気液２相冷媒は次に上記積層型の冷媒蒸発器６に流入する。
この冷媒蒸発器６には、通常の冷媒−空気間の熱交換をおこなう冷媒蒸発部（主熱交換部）７の他に、蒸発器入口側の冷媒と蒸発器出口側の冷媒とを熱交換させて、冷媒蒸発部７の入口タンク７ｃ内に流入する冷媒の乾き度を小さくする、冷媒−冷媒熱交換部（副熱交換部）８を設けている。
【０００４】
この冷媒−冷媒熱交換部８の作用により冷媒蒸発部７の入口タンク７ｃ内に流入する冷媒の乾き度を大幅に小さくして、入口タンク７ｃ内における冷媒を液単相に近い状態にすることにより、入口タンク７ｃから多数の冷媒通路（チューブ）７ａに冷媒を分配する際に、各通路に均一に液冷媒を分配できる。しかも、各通路（チューブ）７ａの内面が液冷媒で覆われた状態となり、各通路内面での熱伝達率が向上し、これらのことが相まって蒸発器６の冷却性能を向上できるものである。
【０００５】
また、上記公報記載の従来技術では、冷媒−冷媒熱交換部８の入口側冷媒通路８ａと冷媒蒸発部７の冷媒通路７ａの入口部７ｃとの間に、蛇行状に形成された微小断面積の絞り通路９を設置している。
この絞り通路９は、一般にキャピラリチューブと称されている減圧手段の役割を果たすものであって、その減圧度合いは膨張弁５の減圧度合いよりも小さく設定されている。
【０００６】
この絞り通路９の作用により、その上流側と下流側とで冷媒圧力に差が生じるため、冷媒−冷媒熱交換部８における入口側冷媒通路８ａの冷媒温度と、出口側冷媒通路８ｂの冷媒温度との間に、高低の差が発生し、両通路８ａ、８ｂ間の熱交換が良好となる。
また、受液器４の出口側を直接冷媒蒸発部７の冷媒通路７ａの入口部７ｃに連通させるバイパス通路１０に定圧弁１０ａを設置して、冬季のごとく冷凍サイクル熱負荷が著しく低下して、定圧弁１０ａ前後の圧力差が設定値以下になると、定圧弁１０ａが開弁して、受液器４からの液冷媒を所定量減圧して直接冷媒蒸発部７の冷媒通路７ａの入口部７ｃに流入させるようにしている。
【０００７】
冬季の低負荷条件時には、膨張弁５の弁開度が微少となって、冷媒流量が小となり、かつ車室内空気を循環させる内気循環モードでは、小流量の冷媒が比較的高温の内気から吸熱して、冷媒蒸発部７の出口冷媒温度が入口冷媒温度より高くなってしまうことがある。
その結果、冷媒−冷媒熱交換部８で冷媒蒸発部７の出口側冷媒により入口側冷媒を加熱するという不具合が生じるので、この不具合の発生を防止するため、低負荷条件下では、上記定圧弁１０ａが開弁し、強制的に液冷媒を冷媒蒸発部７に供給するようになっている。
【０００８】
【発明が解決しようとする課題】
ところで、上記した絞り通路９は、金属薄板にプレス成形にて形成されているが、このプレス成形による寸法公差が大きいと、所定の減圧量（冷媒圧力差）を設定できないことになり、蒸発器６の性能低下を招くので、プレス成形時の寸法精度としては高レベルの精度が要求される。そのため、本発明者らは、絞り通路９を構成する金属薄板の板厚を０．６ｍｍ程度まで薄肉化して、プレス加工の成形性を改善することを試みた。
【０００９】
ところが、絞り通路９を構成する金属薄板を薄肉化すると、次のごとき新たな問題が発生することが判明した。
すなわち、本発明者らの実験検討によると、絞り通路９を通過する冷媒は流路が絞られているため、非常に高速となり、「シュー」という冷媒通過音が発生する。そして、金属薄板が０．６ｍｍ程度まで薄肉化されていると、上記冷媒通過音により金属薄板が振動して、音が増幅され、大きな騒音を発生することが判明した。
【００１０】
特に、冷凍サイクル起動時のごとく冷凍（冷房）負荷が大きいときには、膨張弁下流での冷媒乾き度が大となり、絞り通路９をガス化した冷媒が通過するので、より一層流速の速いガス単相流となり、上記騒音発生の問題が顕著となる。
本発明は上記点に鑑みてなされたもので、金属薄板に形成される絞り通路での冷媒通過音による騒音を効果的に低減できる冷媒蒸発器を提供することを目的とする。
【００１１】
【課題を解決するための手段】
本発明は上記目的を達成するため、以下の技術的手段を採用する。請求項１記載の発明では、冷媒通路（７ａ）内を流れる冷媒と前記冷媒通路（７ａ）の外部を流れる被冷却流体とを熱交換させる冷媒蒸発部（７）と、
前記冷媒蒸発部（７）の冷媒通路（７ａ）の入口側に流入する冷媒と、前記冷媒蒸発部の冷媒通路（７ａ）の出口側から流出する冷媒とを熱交換させる冷媒−冷媒熱交換部（８）とを有し、
前記冷媒蒸発部（７）および前記冷媒−冷媒熱交換部（８）の冷媒通路（７ａ、８ａ、８ｂ）は金属薄板（７ｂ、８ｃ）の積層構造により形成されており、
前記冷媒−冷媒熱交換部（８）と前記冷媒蒸発部（７）との間に、前記冷媒−冷媒熱交換部（８）で熱交換した後の入口側冷媒が流れる通路を絞る絞り通路（９）を形成する金属薄板（９０）が介在されており、
この絞り通路形成用の金属薄板（９０）には補強板（９１、９２）が接触して配置されており、
前記冷媒−冷媒熱交換部（８）、前記冷媒蒸発部（７）、前記絞り通路形成用の金属薄板（９０）、および前記補強板（９１、９２）がろう付けにより一体構造に接合される冷媒蒸発器であって、
前記補強板（９１、９２）は、前記絞り通路形成用の金属薄板（９０）の表裏両面にそれぞれ接触するように配置され、この２枚の補強板（９１、９２）で前記絞り通路形成用の金属薄板（９０）が挟持され、
前記絞り通路形成用の金属薄板（９０）は、前記冷媒蒸発部（７）側の補強板（９２）に向けて突出した凹状通路部（９０１）と、前記冷媒−冷媒熱交換部（８）側の補強板（９１）に向けて突出した補強用リブ（９０２）とを有し、
前記凹状通路部（９０１）と前記冷媒−冷媒熱交換部（８）側の補強板（９１）との間に前記絞り通路（９）が形成され、
前記補強用リブ（９０２）の先端は前記冷媒−冷媒熱交換部（８）側の補強板（９１）に当接し、
前記絞り通路形成用の金属薄板（９０）の凹状通路部（９０１）の先端および前記補強用リブ（９０２）の根元部に位置する平面部（９０５）が前記冷媒蒸発部（７）側の補強板（９２）に当接し、
さらに前記冷媒蒸発部（７）側の補強板（９２）は、前記絞り通路形成用の金属薄板（９０）に形成された前記補強用リブ（９０２）の内側空間の空気抜き用の穴部（９２２）を有していることを特徴としている。
【００１２】
請求項２記載の発明では、請求項１に記載の冷媒蒸発器において、前記補強板（９１、９２）の板厚が前記絞り通路形成用の金属薄板（９０）の板厚より大きいことを特徴とする。
【００１３】
請求項３記載の発明では、請求項１または２に記載の冷媒蒸発器において、前記補強板（９１、９２）の板厚が前記絞り通路形成用の金属薄板（９０）の板厚の２倍以上に設定されていることを特徴とする。
【００１５】
なお、上記各手段の括弧内の符号は、後述する実施例記載の具体的手段との対応関係を示すものである。
【００１６】
【発明の作用効果】
請求項１〜３記載の発明によれば、上記技術的手段を有しているため、板厚０．６ｍｍ程度の金属薄板（９０）に冷媒の絞り通路（９）を形成する構造であっても、この金属薄板（９０）の冷媒通過音による振動を効果的に防止できる。すなわち、金属薄板（９０）に補強板（９１、９２）を接触させて、ろう付けにより接合しているから、金属薄板（９０）部分が補強板（９１、９２）により効果的に補強され、その剛性が十分高くなる。
【００１７】
そのため、冷凍サイクル起動時に、ガス化した冷媒が非常に高速で絞り通路（９）を通過しても、その高速の冷媒通過による金属薄板（９０）の振動を抑制して、騒音の発生を防止できる。
また、補強板（９１、９２）は冷媒蒸発器（６）のろう付け時に一体ろう付けされるから、補強板（９１、９２）の追加を極めて低コストで実現できる。
【００１８】
上記作用効果に加えて、請求項１記載の発明では、絞り通路形成用の金属薄板（９０）の表裏両面に、それぞれ接触するように補強板（９１、９２）が配置され、この２枚の補強板で前記絞り通路形成用の金属薄板（９０）が挟持されるようにしているから、この金属薄板（９０）の補強をサンドウイッチ構造による補強でより効果的に行うことができる。
また、請求項１記載の発明では、前記絞り通路形成用の金属薄板（９０）は、前記冷媒−冷媒熱交換部側の補強板（９１）に向けて突出した補強用リブ（９０２）と、前記冷媒蒸発部側の補強板（９２）に向けて突出した凹状通路部（９０１）とを有し、
前記補強用リブ（９０２）の先端は前記冷媒−冷媒熱交換部側の補強板（９１）に当接し、前記絞り通路形成用の金属薄板（９０）の凹状通路部（９０１）の先端および前記補強用リブ（９０２）の根元部に位置する平面部（９０５）が前記冷媒蒸発部側の補強板（９２）に当接するようにしているから、金属薄板（９０）部分を補強板（９１、９２）にてより一層効果的に補強できる。
さらに、請求項１記載の発明では、前記冷媒蒸発部側の補強板（９２）は、前記絞り通路形成用の金属薄板（９０）に形成された前記補強用リブ（９０２）の内側空間の空気抜き用の穴部（９２２）を有しているから、補強用リブ（９０２）の内側空間がろう付け時に空気の密閉空間となるのを防止してろう付け性を向上できる。
【００１９】
また、請求項２、３記載の発明では、補強板（９１、９２）の板厚を前記絞り通路形成用の金属薄板（９０）の板厚より大きくすることにより、この金属薄板（９０）の補強をより効果的に行うことができる。
【００２１】
【実施例】
以下、本発明を図に示す実施例について説明する。
本発明冷媒蒸発器を適用した自動車用空調装置の冷凍サイクルは、前述した図６と同じでよいので、その説明は省略する。
図１、２は本発明による冷媒蒸発器６の一実施例を示すもので、この蒸発器６は、図６で示す冷媒通路７ａ内を流れる冷媒と前記冷媒通路７ａの外部を流れる空調用送風空気（被冷却流体）とを熱交換させる冷媒蒸発部（主熱交換部）７と、  この冷媒蒸発部７の冷媒通路７ａの入口側に流入する冷媒と、前記冷媒蒸発部７の冷媒通路７ａの出口側から流出する冷媒とを熱交換させる冷媒−冷媒熱交換部（副熱交換部）８とを有している。
【００２２】
上記冷媒蒸発部７と冷媒−冷媒熱交換部８との間には、絞り通路９を構成する金属薄板９０が配置されている。さらに、この金属薄板９０の表裏両側には、補強板９１、９２が配置されている。
ここで、金属薄板９０および補強板９１、９２はともに、アルミニュウム心材（Ａ３００３）の両面にろう材（Ａ４１０４）をクラッドした両面クラッド材を所定形状に成形したものである。金属薄板９０は、絞り通路９の通路断面積を精度よくプレス成形するため、板厚０．６ｍｍ程度の薄板からなる。
【００２３】
一方、補強板９１、９２は、絞り通路９を形成しないので、その板厚を上記金属薄板９０より厚くすることができ、金属薄板９０を効果的に補強するためには、金属薄板９０の板厚の２倍以上とすることが好ましい。本例では、補強板９１、９２の板厚は１．６ｍｍに設定してある。
金属薄板９０には、図２、３に示すように、絞り通路９を形成する凹状通路部９０１が冷媒蒸発部７側の補強板９２に向けて突出形成されており、また補強用リブ９０２は反対方向である、冷媒−冷媒熱交換部８側の補強板９１に向けて突出形成されている。
【００２４】
また、金属薄板９０には、入口側冷媒（液冷媒）穴を有する入口側タンク９０３および出口側冷媒（ガス冷媒）穴を有する出口側タンク９０４が形成されている。
冷媒蒸発部７側の補強板９２は、その長手方向寸法が金属薄板９０より前記タンク９０３、９０４部分だけ短くなっており、冷媒通路の形成には関与しない。そして、この補強板９２には、前記補強用リブ９０２の内側空間、および凹状通路部９０１周囲の突出部の内側空間を外部に開放して空気抜きを行うための穴部９２１、９２２が開けられている。この穴部９２１、９２２は、ろう付け時に、補強用リブ９０２の内側空間、および凹状通路部９０１周囲の突出部の内側空間に空気が密閉されてろう付け不良が生じるのを防ぐ役割を果たす。
【００２５】
そして、金属薄板９０の凹状通路部９０１の先端、および補強用リブ９０２の根元部に位置する平面部９０５が補強板９２の平面部９２３に当接、密着した状態で、この両者９０、９２を接合できるようになっている。
また、冷媒−冷媒熱交換部８側の補強板９１は、その大部分が平板状の形状であり、前記金属薄板９０の補強用リブ９０２の先端が当接するようになっている。そして、この補強板９１には、前記金属薄板９０の入口側タンク９０３と連通するノズル形状に形成された第１の冷媒穴９１１、前記金属薄板９０の出口側タンク９０４と連通する第２の冷媒穴９１２、前記絞り通路９の入口部９ａに連通する第３の冷媒穴９１３、前記絞り通路９の出口部９ｂに連通する第４の冷媒穴９１４等が開けられている。
【００２６】
前記冷媒蒸発部７及び冷媒−冷媒熱交換部８は金属薄板の積層構造により形成されており、その具体的構造は基本的には特開平５−１９６３２１号公報、特開平６−１８５８３１号公報等と同じでよいので、以下積層構造の概略を図１、２により説明すると、冷媒蒸発部７では、板厚０．６ｍｍ程度の金属薄板７ｂを用いて構成されている。
【００２７】
具体的には、アルミニュウム心材（Ａ３００３）の両面にろう材（Ａ４１０４）をクラッドした両面クラッド材からなる金属薄板７ｂを所定形状に成形して、これを２枚１組として多数組積層した上で、ろう付けにより接合することにより多数の冷媒通路７ａを並列に形成するものである。
この多数の冷媒通路７ａはそれぞれ上方でＵターンするＵ形状（図３（ｄ）参照）のものであり、かつ前記２枚１組の金属薄板７ｂで構成される通路下方部に入口側タンク部７ｃ及び出口側タンク部７ｄが区画形成されている。そして、前記各Ｕ形状の冷媒通路７ａの入口部及び出口部はそれぞれ通路下方部において前記入口側タンク部７ｃ及び出口側タンク部７ｄの開口部にて相互にコア幅方向（図１、２左右方向）に連通するようになっている。
【００２８】
また、冷媒蒸発部７では、隣接する冷媒通路７ａの外面側相互の間隙に、アルミニュウム材から成形されたコルゲートフィン（フィン手段）１０をろう付けにより接合して空気側の伝熱面積の増大を図るようになっている。
一方、冷媒−冷媒熱交換部８においても、板厚０．４ｍｍ程度の金属薄板８ｃ、具体的にはアルミニュウム心材（Ａ３００３）の両面にろう材（Ａ４１０４）をクラッドした両面クラッド材からなる金属薄板８ｃを所定形状に成形して、これを多数枚積層してろう付けにより接合することにより、この多数枚の積層構造の金属薄板８ｃの間に、前記入口側冷媒通路８ａと、出口側冷媒通路８ｂを交互に形成するようになっている。
【００２９】
図４は、上記した冷媒蒸発部７及び冷媒−冷媒熱交換部８の冷媒通路構成を模式的に示すもので、図中の冷媒通路内において、斜線部Ｘは液冷媒を示し、斜線のない部分Ｙはガス冷媒の領域を示す。
なお、図４では、理解を容易にするため、冷媒蒸発部７の入口側タンク部７ｃと出口側タンク部７ｄを直線状の冷媒通路７ａの両端に配置しているが、実際には、図１、２に示すように、この両タンク部７ｃ、７ｄはともにＵターン形状の冷媒通路７ａの下方部において空気流れ方向に隣接配置されている。
【００３０】
また、図４では、絞り通路９は便宜上、固定絞り形状として図示してある。なお、１２は冷媒−冷媒熱交換部８の端板である。１９は受液器４からの高圧側液冷媒通路、２０は圧縮機１の吸入側に連通する低圧側ガス冷媒通路である。
ここで、冷媒−冷媒熱交換部８の端板１２には図１、２に示すように配管コネクタ部材１３が接合されており、この配管コネクタ部材１３には、膨張弁５で減圧された気液２相冷媒が流入する入口管１３ａと、蒸発器６から圧縮機１側へ吸入されるガス冷媒が流出する出口管１３ｂと、絞り通路９の下流側を定圧弁１０ａの下流側に接続する接続管１３ｃとが配設されている。
【００３１】
そして、この入口管１３ａからの冷媒は、冷媒−冷媒熱交換部８の金属薄板８ｃの上部に形成された、入口側冷媒通路８ａの入口側タンク部８ｄに流入するようになっており、この入口側タンク部８ｄはそれ自身の開口部にてコア奥行き方向に連通している。
一方、金属薄板８ｃの下部に入口側冷媒通路８ａの出口側タンク部８ｅが形成されており、この出口側タンク部８ｅもそれ自身の開口部にてコア奥行き方向に連通している。そして、上部の入口側タンク部８ｄから下部の出口側タンク部８ｅに向かって、入口側冷媒通路８ａが蛇行状に形成されている。
【００３２】
入口側冷媒通路８ａの出口側タンク部８ｅから流出した冷媒は次に補強板９１の第３の冷媒穴９１３を経て絞り通路９の入口部９ａに流入する。そして、絞り通路９を通過した後、絞り通路９の出口部９ｂから補強板９１の第４の冷媒穴９１４を経て冷媒−冷媒熱交換部８の中継タンク部８ｆに流入する。そして、この中継タンク部８ｆを冷媒−冷媒熱交換部８のコア奥行き方向に流れて、補強板９１の第１の冷媒穴９１１を通過し、金属薄板９０の入口側タンク９０３を通り、冷媒蒸発部７の入口側タンク部７ｃに流入する。
【００３３】
ここから、冷媒蒸発部７の各冷媒通路７ａをＵターン状に流れ、その後出口側タンク部７ｄに集合するようになっている。
この出口側タンク部７ｄに集合した冷媒は、金属薄板９０の出口側タンク９０４および補強板９１の第２の冷媒穴９１２を通過して、冷媒−冷媒熱交換部８の金属薄板８ｃの下部に形成された、出口側冷媒通路８ｂの入口側タンク部８ｇに流入するようになっており、この入口側タンク部８ｇはそれ自身の開口部にてコア奥行き方向に連通している。
【００３４】
一方、金属薄板８ｃの上部に出口側冷媒通路８ｂの出口側タンク部８ｈが形成されており、この出口側タンク部８ｈもそれ自身の開口部にてコア奥行き方向に連通している。そして、下部の入口側タンク部８ｇから上部の出口側タンク部８ｈに向かって、出口側冷媒通路８ｂが上下方向に略直線状に形成されている。
冷媒−冷媒熱交換部８において、入口側冷媒通路８ａと出口側冷媒通路８ｂは多数枚積層された金属薄板８ｃの表裏両側に交互に形成されている。出口側冷媒通路８ｂの出口側タンク部８ｈから冷媒は配管コネクタ部材１３の出口管１３ｂへ流出する。
【００３５】
上述した構成の蒸発器６は、適宜の治具により仮組付状態を保持されながら、ろう付け用加熱炉内にてろう付け温度まで加熱され、一体ろう付けされる。従って、補強板９１、９２の追加を極めて低コストで実現できる。
本実施例では、上述した構成を有しているため、板厚０．６ｍｍという金属薄板９０に冷媒の絞り通路９を形成していても、この金属薄板９０の冷媒通過音による振動を効果的に防止できる。
【００３６】
すなわち、▲１▼金属薄板９０の表裏両側面を補強板９１、９２によりサンドウイッチ状に挟持すること、▲２▼補強板９１、９２を金属薄板９０の板厚の２倍以上の板厚（１．６ｍｍ）に設定すること、▲３▼金属薄板９０の補強用リブ９０２を補強板９１に当接して接合しているとともに、金属薄板９０の凹状通路部９０１の先端、および金属薄板９０の平面部９０５を補強板９２の平面部９２３に密着させていることから、金属薄板９０部分が２枚の補強板９１、９２により効果的に補強され、その剛性が十分高くなる。
【００３７】
そのため、冷凍サイクル起動時に、ガス化した冷媒が非常に高速で絞り通路９を通過しても、その高速の冷媒通過による金属薄板９０の振動を抑制して、騒音の発生を防止できる。
図５は、本発明による騒音低減効果を示すもので、（ａ）は本発明による補強板９１、９２を具備した冷媒蒸発器において、冷凍サイクル起動時の騒音を測定した結果を示し、（ｂ）は本発明による補強板９１、９２を具備しない冷媒蒸発器において、冷凍サイクル起動時の騒音を測定した結果を示す。図中、横軸は周波数（Ｈｚ）で、縦軸は音圧レベル（ｄＢ）である。
【００３８】
図５の（ａ）、（ｂ）の比較から理解されるように、本発明によれば、音圧レベルのピーク値および平均値を双方とも低減できる。
【図面の簡単な説明】
【図１】本発明の一実施例を示す斜視図である。
【図２】図１の冷媒蒸発器の分解斜視図である。
【図３】本発明の要部をなす絞り通路形成用金属薄板、補強板および冷媒蒸発部用金属薄板を示す正面図である。
【図４】本発明冷媒蒸発器における冷媒通路構成を模式的に示す模式図である。
【図５】冷凍サイクル起動時に冷媒蒸発器から発生する騒音の測定結果を示すグラフである。
【図６】従来技術および本発明の冷媒蒸発器の説明に供する冷凍サイクルの回路図である。
【符号の説明】
６……冷媒蒸発器、７……冷媒蒸発部、７ａ……冷媒通路、７ｂ……金属薄板８……冷媒−冷媒熱交換部、８ａ……入口側冷媒通路、８ｂ……出口側冷媒通路８ｃ……金属薄板、９……絞り通路、９０……金属薄板、９１、９２……補強板。
【図１】
0003674057.tif 000002
【図２】
0003674057.tif 000003
【図３】
0003674057.tif 000004
【図４】
0003674057.tif 000005
【図５】
0003674057.tif 000006
【図６】
0003674057.tif 000007